(57)【要約】  【課題】  地域活性を図れる移動履歴情報利用システムを提供する。  【解決手段】  車載装置１２は、移動履歴を示す移動履歴情報を提供する提供手段を備える提供端末装置であり、移動履歴情報であるＥＴＣゲート通過情報をＥＴＣカードに書き込む手段を備える。加盟店装置１４は移動履歴情報利用装置であり、提供手段によって提供された移動履歴情報を取得する取得手段と、サービス提供態様と移動履歴との関係を示すサービス情報を記憶する記憶手段と、取得手段によって取得された移動履歴情報が示す移動履歴に対応するサービス提供態様を記憶手段に記憶されたサービス情報から抽出する抽出手段と、抽出手段によって抽出されたサービス提供態様に従ってサービス提供処理を行う処理手段とを備える。【選択図】  図１
2005190078.tif 000002
【特許請求の範囲】
【請求項１】
移動履歴を示す移動履歴情報を提供する提供手段を備える提供端末装置と、
前記提供手段によって提供された移動履歴情報を取得する取得手段と、サービス提供態様と移動履歴との関係を示すサービス情報を記憶する記憶手段と、前記取得手段によって取得された移動履歴情報が示す移動履歴に対応するサービス提供態様を前記記憶手段に記憶されたサービス情報から抽出する抽出手段と、前記抽出手段によって抽出されたサービス提供態様に従ってサービス提供処理を行う処理手段とを備える移動履歴情報利用装置とを有する移動履歴情報利用システム。
【請求項２】
前記提供手段は、移動履歴を持ち運び可能な記憶媒体に提供し、
前記取得手段は、前記提供手段によって提供された移動履歴情報を前記記憶媒体を介して取得することを特徴とする請求項１に記載の移動履歴情報利用システム。
【請求項３】
前記提供端末装置は、移動履歴としてＥＴＣシステムの利用履歴を表すＥＴＣゲート通過情報をＥＴＣ記憶媒体に書き込む車載装置であり、
前記移動履歴情報利用装置は、前記ＥＴＣ記憶媒体から前記ＥＴＣゲート通過情報を取り込んで管理する機能を持った走行情報利用装置であることを特徴とする請求項２に記載の移動履歴情報利用システム。
【請求項４】
前記取得手段は、前記ＥＴＣ記憶媒体から読み取られたＥＴＣゲート通過情報を取得するＥＴＣゲート通過情報取得手段であり、
前記記憶手段は、ＥＴＣシステムの利用者に対して前記走行情報利用装置が設置された店舗で提供される店舗サービスとともに、前記店舗サービスの提供の条件になるＥＴＣゲート通過情報を含むサービス提供条件を記憶する店舗サービス情報記憶手段であり、
前記抽出手段は、前記ＥＴＣゲート通過情報取得手段により取得された前記ＥＴＣゲート通過情報を前記店舗サービス情報記憶手段に記憶された前記サービス提供条件と比較して、前記ＥＴＣゲート通過情報が示すＥＴＣ利用履歴により満たされる前記サービス提供条件に対応する店舗サービスを前記店舗サービス情報記憶手段から抽出する店舗サービス抽出手段であり、
前記処理手段は、前記店舗サービス抽出手段により抽出された店舗サービスを提供するための処理を行うサービス提供処理手段であることを特徴とする請求項３に記載の移動履歴情報利用システム。
【請求項５】
複数の走行情報利用装置と通信で接続され、前記複数の走行情報利用装置の各々から、ＥＴＣシステムの利用者に対して前記走行情報利用装置が設置された店舗で提供された店舗サービスの利用者数、利用日時、提供されたサービス内容を含む店舗利用者情報を通信で取得して管理する情報管理装置を備えることを特徴とする請求項３に記載の移動履歴情報利用システム。
【請求項６】
前記走行情報利用装置は、前記情報管理装置と通信するための通信端末を備えることを特徴とする請求項５に記載の移動履歴情報利用システム。
【請求項７】
前記車載装置と前記情報管理装置とは双方向通信手段で接続され、前記双方向通信手段を介して前記情報管理装置から前記車載装置へ、前記店舗サービスの情報が提供されることを特徴とする請求項５に記載の移動履歴情報利用システム。
【請求項８】
前記走行情報利用装置は、ＥＴＣ記憶媒体からＥＴＣゲート通過情報を読み取る媒体読取装置を備え、前記媒体読取装置は、ＡＣ電源からの電源供給、ＤＣ電源からの電源供給、および装置間接続手段を介した電源供給の中から少なくとも一つを選択的に受けられるように構成されていることを特徴とする請求項３に記載の移動履歴情報利用システム。
【請求項９】
前記情報管理装置は、
前記走行情報利用装置から受信した前記店舗利用者情報を蓄積する利用者情報蓄積手段と、
前記利用者情報蓄積手段に蓄積された前記店舗利用者情報を読み出して、前記店舗利用者情報に応じて前記走行情報利用装置への料金請求情報を生成する料金請求処理手段とを備えることを特徴とする請求項５に記載の移動履歴情報利用システム。
【請求項１０】
前記車載装置は、前記情報管理装置と通信で接続され、前記情報管理装置から前記店舗サービスの情報を通信で受信し、
前記情報管理装置は、
前記車載装置への前記店舗サービスの情報提供の履歴を蓄積する情報提供履歴蓄積手段と、
前記情報提供履歴蓄積手段に蓄積された前記店舗サービスの情報提供の履歴を読み出して、読み出された情報提供の履歴に応じて、前記情報管理装置を運営する事業者または前記走行情報利用装置が設置された店舗に前記車載装置への情報提供料を負担させるための情報提供料負担情報を生成する情報提供料情報処理手段とを備えることを特徴とする請求項５に記載の移動履歴情報利用システム。
【請求項１１】
前記走行情報利用装置は、前記走行情報利用装置が設置された店舗の店舗サービスの情報を前記情報管理装置に送信し、
前記情報管理装置は、
複数の店舗のそれぞれについて店舗サービスの情報を記憶するサービス情報管理手段と、
前記走行情報利用装置から受信した店舗サービスの情報を、該当する前記走行情報利用装置と関連づけて前記サービス情報管理手段に登録する店舗サービス登録手段とを備えることを特徴とする請求項５に記載の移動履歴情報利用システム。
【請求項１２】
前記走行情報利用装置は、携帯端末が記憶する位置情報に基づいて移動距離を算出する手段を備えることを特徴とする請求項３に記載の移動履歴情報利用システム。
【請求項１３】
前記走行情報利用装置は、
ＥＴＣ記憶媒体からＥＴＣゲート通過情報を読み取る媒体読取装置と、
前記ＥＴＣゲート通過情報を管理するとともに前記店舗利用者情報を前記情報管理装置に通信で送る通信端末とを備えることを特徴とする請求項５に記載の移動履歴情報利用システム。
【請求項１４】
前記情報管理装置は、前記走行情報利用装置と通信で接続される通信端末で構成されることを特徴とする請求項５に記載の移動履歴情報利用システム。
【請求項１５】
前記走行情報利用装置は、
前記ＥＴＣゲート通過情報を管理するとともに前記店舗利用者情報を前記情報管理装置に通信で送る機能に加えて、ＥＴＣ記憶媒体からＥＴＣゲート通過情報を読み取る機能を備えた通信端末で構成されることを特徴とする請求項５に記載の移動履歴情報利用システム。
【請求項１６】
前記車載装置は、
前記情報管理装置に、提供を受けるべき店舗サービスの情報の種類を示す種類要求を送信し、前記種類要求に対応する店舗サービスの情報を前記情報管理装置からダウンロードすることを特徴とする請求項５に記載の移動履歴情報利用システム。
【請求項１７】
移動履歴を示す移動履歴情報を提供する提供手段にによって提供された移動履歴情報を取得する取得手段と、サービス提供態様と移動履歴との関係を示すサービス情報を記憶する記憶手段と、前記取得手段によって取得された移動履歴情報が示す移動履歴に対応するサービス提供態様を前記記憶手段に記憶されたサービス情報から抽出する抽出手段と、前記抽出手段によって抽出されたサービス提供態様に従ってサービス提供処理を行う処理手段とを備えることを特徴とする移動履歴情報利用装置。
【請求項１８】
移動履歴を示す移動履歴情報を提供するステップと、
提供された移動履歴情報を取得するステップと、
サービス提供態様と移動履歴との関係を示すサービス情報を参照し、取得された移動履歴情報が示す移動履歴に対応するサービス提供態様をサービス情報から抽出するステップと、
抽出されたサービス提供態様に従ってサービス提供処理を行うステップとを備える移動履歴情報利用方法。
【発明の詳細な説明】
【技術分野】
【０００１】
本発明は、移動履歴情報を活用する移動履歴情報利用システムに関するものである。
【背景技術】
【０００２】
従来の移動履歴情報利用システムとしては、例えば、車両の走行情報利用システムが知られており、そして、走行情報利用システムとしては、高速道路および有料道路（以下、高速道路等という）で課金を行うＥＴＣ（Electric Toll Collection）システムが知られており、ＥＴＣゲート等の課金装置を使用し、近くを通過した車両に対して自動的に料金を課金することができる（例えば特許文献１参照）。
【０００３】
図３０に示すように、従来のＥＴＣシステム２００は、車両２０２に設置された車載装置２０４と、ＥＴＣゲート２０６と、管理センター管理装置２０８とで構成されている。車載装置２０４は、ＥＴＣに対応する機器であり、無線通信機能を有するＥＴＣゲート２０６は、高速道路等の出入り口、または、駐車場等の施設の出入り口に配置される。管理センター管理装置２０８は、ＥＴＣゲート２０６付近を通過する車両２０２に搭載された車載装置２０４との間で通信を行ない、ユーザを認識して、料金を計算する。そして、後日、この料金をユーザの口座から引き落とす。これにより、ユーザはゲートの通過時に、現金又はカードによる料金の支払いをする必要がなくなり、ゲート通過時の時間等のロスをなくすことができる。
【０００４】
また、ＥＴＣシステムでは、高速道路等の利用料金は車種、利用距離、利用回数等に応じて変わり、高速道路等の利用頻度の高いユーザに対して料金の割引やサービスポイント等の特典の付与を行なっている。
【特許文献１】特開２００２―２１６１８７号公報（第３ページ、図１）
【発明の開示】
【発明が解決しようとする課題】
【０００５】
しかしながら、従来の移動履歴情報利用システムは、長距離の利用者が料金的に優遇されていたり各種サービスを受け易い構成になっているので、長距離利用が促進され、それに伴い、高速道路等を下りて一般道路を利用する車両の数が減少する傾向が生じる可能性がある。
【０００６】
また、現状の高速道路等の料金体系を見ると、高速道路から一般道に一度下りて、再度高速道路や有料道路を利用した場合、一度も下りずに高速道路を利用する場合と比べて、トータルでの高速道路利用料金が割増しになる。すなわち、高速道路等を短区間で利用したり、頻繁に乗り降りすると料金的利点が得られない。このことも、短距離利用が控えられる傾向を招き、また、高速道路を途中で下りる機会が減少させる要因になり得る。
【０００７】
これに対して、利用距離に関係なく、短距離利用者でも高速道路等を利用することでメリットを享受できれば、高速道路等を利用する意欲を増大でき、そして、高速道路等から一般道路に出てくる車両数を増大し、一般道路の周辺地域の集客力を増大し、これにより地域活性を促進できると考えられる。
【０００８】
なお、上記においては、交通手段が高速道路等であったが、別の交通手段でも同様の問題が生じ得る。別の交通手段とは例えば電車である。
【０００９】
本発明は、上記背景の下でなされたものであり、その目的は、地域活性を図れる移動履歴情報利用システムを提供することにある。
【課題を解決するための手段】
【００１０】
本発明の移動履歴情報利用システムは、移動履歴を示す移動履歴情報を提供する提供手段を備える提供端末装置と、前記提供手段によって提供された移動履歴情報を取得する取得手段と、サービス提供態様と移動履歴との関係を示すサービス情報を記憶する記憶手段と、前記取得手段によって取得された移動履歴情報が示す移動履歴に対応するサービス提供態様を前記記憶手段に記憶されたサービス情報から抽出する抽出手段と、前記抽出手段によって抽出されたサービス提供態様に従ってサービス提供処理を行う処理手段とを備える移動履歴情報利用装置とを有する。
【００１１】
この構成により、取得手段によって取得された移動履歴情報が示す移動履歴に対応するサービス提供態様が記憶手段に記憶されたサービス情報から抽出され、そして、抽出されたサービス提供態様に従ってサービス提供処理が行われるので、交通手段の利用者に割引や特典獲得といったサービスを提供でき、これにより短距離利用者にも交通手段を利用するメリットを提供でき、交通手段を利用して到来する客数を増大して、地域の集客力を増大し、地域活性が図れる。
【００１２】
また、本発明の移動履歴情報利用システムは、前記提供手段が、移動履歴を持ち運び可能な記憶媒体に提供し、前記取得手段が、前記提供手段によって提供された移動履歴情報を前記記憶媒体を介して取得する構成を有している。
【００１３】
この構成により、移動履歴情報利用装置の取得手段が移動履歴情報を記憶媒体から好適に取得できる。
【００１４】
また、本発明の移動履歴情報利用システムは、前記提供端末装置が、移動履歴としてＥＴＣシステムの利用履歴を表すＥＴＣゲート通過情報をＥＴＣ記憶媒体に書き込む車載装置であり、前記移動履歴情報利用装置が、前記ＥＴＣ記憶媒体から前記ＥＴＣゲート通過情報を取り込んで管理する機能を持った走行情報利用装置である構成を有している。ＥＴＣ記憶媒体は典型的にはＥＴＣカードである。走行情報利用装置は、ＥＴＣシステムの利用者を対象とした店舗サービスを提供する店舗に設置される。また、ＥＴＣ利用者には情報提供手段を用いて店舗サービスの情報が提供される。
【００１５】
この構成により、ＥＴＣ記憶媒体からＥＴＣゲート通過情報を取り込んで管理する機能を持った走行情報利用装置を設けたので、この走行情報利用装置を設けた店舗では、ＥＴＣゲート通過情報を確認でき、ＥＴＣシステムの利用者に割引や特典獲得といった店舗サービスを提供できる。これにより、短距離利用者にも高速道路利用のメリットを提供でき、高速道路から下りた地域の集客力を増大し、地域活性が図れる。
【００１６】
また、本発明の移動履歴情報利用システムは、前記取得手段が、前記ＥＴＣ記憶媒体から読み取られたＥＴＣゲート通過情報を取得するＥＴＣゲート通過情報取得手段であり、
前記記憶手段が、ＥＴＣシステムの利用者に対して前記走行情報利用装置が設置された店舗で提供される店舗サービスとともに、前記店舗サービスの提供の条件になるＥＴＣゲート通過情報を含むサービス提供条件を記憶する店舗サービス情報記憶手段であり、前記抽出手段が、前記ＥＴＣゲート通過情報取得手段により取得された前記ＥＴＣゲート通過情報を前記店舗サービス情報記憶手段に記憶された前記サービス提供条件と比較して、前記ＥＴＣゲート通過情報が示すＥＴＣ利用履歴により満たされる前記サービス提供条件に対応する店舗サービスを前記店舗サービス情報記憶手段から抽出する店舗サービス抽出手段であり、前記処理手段が、前記店舗サービス抽出手段により抽出された店舗サービスを提供するための処理を行うサービス提供処理手段である構成を有している。
【００１７】
この構成により、走行情報利用装置では、ＥＴＣゲート通過情報が予め記憶されたサービス提供条件を満たす場合に店舗サービスを提供する処理ができる。店舗サービスを提供する処理は、例えば、料金計算における割引処理である。店舗サービスを提供する処理は、割引または特典内容の表示等の出力処理でもよい。
【００１８】
また、本発明の移動履歴情報利用システムは、複数の走行情報利用装置と通信で接続され、前記複数の走行情報利用装置の各々から、ＥＴＣシステムの利用者に対して前記走行情報利用装置が設置された店舗で提供された店舗サービスの利用者数、利用日時、提供されたサービス内容を含む店舗利用者情報を通信で取得して管理する情報管理装置を備えた構成を有している。
【００１９】
この構成により、移動履歴情報利用システムを管理する事業者が、複数の店舗での店舗利用者情報を一括管理できる。
【００２０】
また、本発明の移動履歴情報利用システムは、前記走行情報利用装置が、前記情報管理装置と通信するための通信端末を備えた構成を有している。
【００２１】
この構成により、移動式の店舗であっても走行情報利用装置を設置できる。
【００２２】
また、本発明の移動履歴情報利用システムは、前記車載装置と前記情報管理装置とが双方向通信手段で接続され、前記双方向通信手段を介して前記情報管理装置から前記車載装置へ、前記店舗サービスの情報が提供される構成を有している。
【００２３】
この構成により、利用者は、店舗サービスの情報を双方向通信手段を利用して入手することで、利用者の目的に合わせた店舗サービスの検索ができたり、また、事前に店舗サービスを検索し準備することができる。さらには、車載装置が店舗サービスの情報を自動的にダウンロードして入手するように構成することで、地域特有の店舗サービスの情報を地域毎に入手することができ、利用者がわざわざ店舗サービスの情報を入手する手間が省け、また、上記の検索と自動ダウンロードでもって、柔軟な対応が可能な複数通りの情報入手経路を提供でき、利用者の利用目的に合わせた店舗サービスの情報の収集が容易になる。
【００２４】
また、本発明の移動履歴情報利用システムでは、前記走行情報利用装置が、ＥＴＣ記憶媒体からＥＴＣゲート通過情報を読み取る媒体読取装置を備え、前記媒体読取装置が、ＡＣ電源からの電源供給、ＤＣ電源からの電源供給、および装置間接続手段を介した電源供給の中から少なくとも一つを選択的に受けられるように構成されている。
【００２５】
この構成により、各店舗の状況に応じて媒体読取装置への電源供給手段を選択することができ、店舗への走行情報利用装置の設置が容易になる。なお、媒体読取装置は典型的にはＥＴＣカードのカードリーダである。
【００２６】
また、本発明の移動履歴情報利用システムは、前記情報管理装置が、前記走行情報利用装置から受信した前記店舗利用者情報を蓄積する利用者情報蓄積手段と、前記利用者情報蓄積手段に蓄積された前記店舗利用者情報を読み出して、前記店舗利用者情報に応じて前記走行情報利用装置への料金請求情報を生成する料金請求処理手段とを備えた構成を有しいている。
【００２７】
この構成により、店舗と本システムの事業者とが通信回線にて接続されており、本システム使用料金や契約料金の請求や支払い振込み等の会計手続きをオンラインにて処理することができ、これらの処理に掛かる諸経費等を抑えることができる。
【００２８】
また、本発明の移動履歴情報利用システムは、前記車載装置が、前記情報管理装置と通信で接続され、前記情報管理装置から前記店舗サービスの情報を通信で受信し、前記情報管理装置が、前記車載装置への前記店舗サービスの情報提供の履歴を蓄積する情報提供履歴蓄積手段と、前記情報提供履歴蓄積手段に蓄積された前記店舗サービスの情報提供の履歴を読み出して、読み出された情報提供の履歴に応じて、前記情報管理装置を運営する事業者または前記走行情報利用装置が設置された店舗に前記車載装置への情報提供料を負担させるための情報提供料負担情報を生成する情報提供料情報処理手段とを備えた構成を有している。
【００２９】
この構成により、利用者は店舗サービスの情報を入手するのに掛かる料金を気にせずに気軽に店舗の選定を行なえるので、本システムの利用を促進できる。
【００３０】
また、本発明の移動履歴情報利用システムは、前記走行情報利用装置が、前記走行情報利用装置が設置された店舗の店舗サービスの情報を前記情報管理装置に送信し、前記情報管理装置が、複数の店舗のそれぞれについて店舗サービスの情報を記憶するサービス情報管理手段と、前記走行情報利用装置から受信した店舗サービスの情報を、該当する前記走行情報利用装置と関連づけて前記サービス情報管理手段に登録する店舗サービス登録手段とを備えた構成を有している。
【００３１】
この構成により、商品の割引率や特典獲得する為の条件を各店舗が決定でき、これらを本システムの事業者が管理する必要がなく、事業者が管理する各加盟店のデータ情報量を抑えることができ、事業者側の情報管理装置の設備規模を小さくできる。
【００３２】
また、本発明の移動履歴情報利用システムは、前記走行情報利用装置が、携帯端末が記憶する位置情報に基づいて移動距離を算出する手段を備え、好ましくは、算出された移動距離に基づいて前記サービス提供条件が満たされるか否かを判定する手段を備えた構成を有している。
【００３３】
この構成により、利用者が高速道路や有料道路を利用した移動距離によって各店舗での商品の割引率や特典のグレードが変動する条件がある場合に、携帯端末に記憶される位置情報を元に移動距離の算出を行なうことができ、算出された移動距離に基づいてサービス提供条件が満たされるか否かを判定することができる。また、車両に車載装置を取り付けていない利用者でも、携帯端末を使って店舗サービス利用の条件が満たされたかどうかを判定でき、本システムの割引や特典を得ることが可能となる。
【００３４】
また、本発明の移動履歴情報利用システムは、前記走行情報利用装置が、ＥＴＣ記憶媒体からＥＴＣゲート通過情報を読み取る媒体読取装置と、前記ＥＴＣゲート通過情報を管理するとともに前記店舗利用者情報を前記情報管理装置に通信で送る通信端末とを備えた構成を有している。
【００３５】
この構成により、例えば、店舗の走行情報利用装置の小型軽量化および低コスト化が可能になり、店舗が本システムを開始するときの初期投資を低く抑えることができる。また、加盟店にとっては、加盟店に設置する装置の規模を小さくできる。
【００３６】
また、本発明の移動履歴情報利用システムは、前記情報管理装置が、前記走行情報利用装置と通信で接続される通信端末で構成されている。
【００３７】
この構成により、例えば、情報管理装置を扱う事業者が本システムを開始する為の初期投資を低く抑えることができる。事業者にとっては、事業者が移動中でも、各店舗からの店舗利用者情報を受信し、管理することができ、移動型の事業者でも、高品質なサービスシステムを店舗又は利用者に提供するように図れる。
【００３８】
また、本発明の移動履歴情報利用システムは、前記走行情報利用装置が、前記ＥＴＣゲート通過情報を管理するとともに前記店舗利用者情報を前記情報管理装置に通信で送る機能に加えて、ＥＴＣ記憶媒体からＥＴＣゲート通過情報を読み取る機能を備えた通信端末で構成される。
【００３９】
この構成により、例えば、カードリーダのような媒体読取機能を通信端末に持たせたので、利用者のＥＴＣ記憶媒体からのＥＴＣゲート通過情報の読取りを移動しながらでも行うことができる。また、走行情報利用装置の規模を小さくできる。
【００４０】
また、本発明の移動履歴情報利用システムは、前記車載装置が、前記情報管理装置に、提供を受けるべき店舗サービスの情報の種類を示す種類要求を送信し、前記種類要求に対応する店舗サービスの情報を前記情報管理装置からダウンロードする構成を有している。
【００４１】
この構成により、例えば、地域及び商品種類及びカテゴリー等を限定した店舗サービス情報を利用者が得られるので、車両の運転中でも混乱することなく目的に沿った店舗を選択し決定できる。
【００４２】
また、本発明の移動履歴情報利用装置は、移動履歴を示す移動履歴情報を提供する提供手段にによって提供された移動履歴情報を取得する取得手段と、サービス提供態様と移動履歴との関係を示すサービス情報を記憶する記憶手段と、前記取得手段によって取得された移動履歴情報が示す移動履歴に対応するサービス提供態様を前記記憶手段に記憶されたサービス情報から抽出する抽出手段と、前記抽出手段によって抽出されたサービス提供態様に従ってサービス提供処理を行う処理手段とを備えた構成を有している。
【００４３】
この構成により、上述の移動履歴情報利用システムと同様の利点が得られ、すなわち、短距離利用者にも交通手段を利用するメリットを提供でき、地域の集客力を増大して地域活性が図れる。
【００４４】
また、本発明の走行情報利用装置は、ＥＴＣシステムの利用者を対象とした店舗サービスを提供する店舗に設置され、ＥＴＣ記憶媒体から、ＥＴＣシステムの利用履歴を表すＥＴＣゲート通過情報を読み取る媒体読取手段と、前記媒体読取手段により読み取られたＥＴＣゲート通過情報を管理する店舗サーバとを備える。
【００４５】
この構成により、高速道路や有料道路の利用者が持参するＥＴＣ記憶媒体を店舗の媒体読取手段に接続することで、ＥＴＣゲート通過情報を読み込み、ＥＴＣゲート通過情報を店舗サーバにて管理することができる。
【００４６】
また、本発明の情報管理装置は、ＥＴＣシステムの利用者を対象とした店舗サービスを提供する複数の店舗にそれぞれ設置される複数の走行情報利用装置と通信で接続され、前記複数の走行情報利用装置の各々から、店舗サービスの利用者数、利用日時、提供されたサービス内容を含む店舗利用者情報を通信で取得して管理するように構成される。
【００４７】
この構成により、情報管理装置において、各店舗の店舗利用者情報を一括管理できる。
【００４８】
また、本発明の走行情報利用方法は、移動履歴を示す移動履歴情報を提供するステップと、提供された移動履歴情報を取得するステップと、サービス提供態様と移動履歴との関係を示すサービス情報を参照し、取得された移動履歴情報が示す移動履歴に対応するサービス提供態様をサービス情報から抽出するステップと、抽出されたサービス提供態様に従ってサービス提供処理を行うステップとを備えた構成を有している。
【００４９】
この構成により、上述の移動履歴情報利用システムと同様の利点が得られ、すなわち、短距離利用者にも交通手段を利用するメリットを提供でき、地域の集客力を増大して地域活性が図れる。
【発明の効果】
【００５０】
本発明は、移動履歴情報を取得して、移動履歴情報が示す移動履歴に対応するサービス提供態様に従ってサービス提供処理を行う移動履歴情報利用装置を設けたことにより、交通手段の距離利用者にも交通手段を利用するメリットを提供でき、交通手段を利用して到来する客数を増大して地域の集客力を増大し、地域活性が図れるという効果を有する移動履歴情報利用システムを提供することができるものである。
【発明を実施するための最良の形態】
【００５１】
以下、本発明の実施の形態の移動履歴情報利用システムについて、図面を用いて説明する。
【００５２】
本発明の第１の実施の形態の移動履歴情報利用システムを図１に示す。本実施の形態の移動履歴情報利用システムは、車両走行の移動履歴情報を利用する。
【００５３】
図１において、移動履歴情報利用システム１０は、車載装置１２、加盟店装置１４および事業者装置１６で構成されている。
【００５４】
車載装置１２は、ＥＴＣシステムの車載器であり、加盟店装置１４は、本システムの加盟店に設置されるコンピュータ装置であり、事業者装置１６は、本システムを運営する事業者に設置されるコンピュータ装置である。図示のように、ＥＴＣカード１８は、車載装置１２に挿入されると共に、加盟店装置１４のカードリーダにも挿入される。また、加盟店装置１４と事業者装置１６とは通信回線２０で接続される。その他、事業者装置１６から車載装置１２の利用者には後述するように加盟店情報が提供される。
【００５５】
また、図１では示されないが、移動履歴情報利用システム１０は、複数の車両にそれぞれ搭載される複数の車載装置１２と、複数の店舗にそれぞれ設置される複数の加盟店装置１４と、車載装置１２と加盟店装置１４と通信で接続される事業者装置１６とで構成されている。
【００５６】
上記においては、加盟店装置１４が本発明の走行情報利用装置に相当し、事業者装置１６が本発明の情報管理装置に相当し、ＥＴＣカード１８が本発明のＥＴＣ記憶媒体に相当する。
【００５７】
図２は、車載装置１２の構成を示すブロック図である。車載装置１２は車両３０に搭載されており、通信機能を有するコンピュータで構成される。図示のように、車載装置１２は、ＥＴＣゲート３２との間で通信を行なう通信部３４、ユーザに料金等の表示や各種案内を行なうための音声出力部３６及び表示部３８、プログラムやデータ等を記憶する記憶部４０、ＥＴＣカード１８のデータを読み書きするカードリーダライタ４２、ならびに、これらの各要素を制御する制御部４４を備える。
【００５８】
また、ＥＴＣゲート３２は、高速道路や有料道路、駐車場の出入り口等に配置されるものであり、通信部４６を有する。ＥＴＣゲート３２の通信部４６は管理センター管理装置４８にも接続され、これによりＥＴＣゲート３２は管理センター管理装置４８に管理されている。車両３０がＥＴＣゲート３２を通過すると、ＥＴＣゲート３２と車載装置１２との間で通信が行われて、ＥＴＣカード１８にＥＴＣゲート通過情報が書き込まれる。ＥＴＣゲート通過情報は、高速道路や有料道路などの利用履歴のことであり、例えば利用日時データ、利用区間データや利用料金などである。
【００５９】
図３は、加盟店装置１４の構成を示すブロック図である。加盟店装置１４は、加盟店５０に設置されており、加盟店カードリーダ５２と加盟店サーバ５４とが接続された構成を有する。加盟店カードリーダ５２は、ＥＴＣカード１８に書き込まれた情報内容を読み取る装置であり、ＥＴＣゲート通過情報をＥＴＣカード１８から取り込む。加盟店サーバ５４は、加盟店カードリーダ５２にて取り込んだＥＴＣゲート通過情報を管理する装置である。加盟店サーバ５４は、例えばパーソナルコンピュータで構成され、加盟店サーバ５４の機能を実現するプログラムを実行する。
【００６０】
また、図示のように、加盟店装置１４では、加盟店サーバ５４が通信回線２０を介して事業者装置１６に接続される。通信回線は、情報を送受信する通信媒体であり、電話回線、インターネット、専用回線、光通信回線や無線通信回線などをいう。
【００６１】
図４は、事業者装置１６の構成を示すブロック図である。事業者装置１６は、事業者６０の施設に設置されており、事業者サーバ６２と管理部６４とで構成される。
【００６２】
事業者サーバ６２は、加盟店サーバ５４のデータを管理するコンピュータ装置である。事業者サーバ６２は通信回線で加盟店サーバ５４に接続され、加盟店サーバ５４から情報を取り込み、管理する。事業者サーバ６２は、例えばパーソナルコンピュータで構成され、事業者サーバ６２の機能を実現するプログラムを実行する。
【００６３】
管理部６４は、事業者サーバ６２を管理するとともに事業者のシステム全体を管理するコンピュータ装置である。管理部６４は、事業者サーバ６２の情報を管理、保管する機能をもつ。管理部６４は、例えば、パーソナルコンピュータまたはオフィスコンピュータで構成され、管理部６４の機能を実現するプログラムを実行する。
【００６４】
図５は、事業者装置１６が管理している加盟店情報を示している。図示のように、事業者装置１６は加盟店ごとに加盟店情報を記憶しており、各加盟店情報は、「店舗、施設名」「割引、特典内容」「備考、店長からのメッセージ」「最寄りインターチェンジ」「（最寄りインターチェンジからの）所要時間」などを含む。
【００６５】
上記のうち、「割引、特典内容」は加盟店サービスの情報であり、言い換えれば、本システムにてＥＴＣ利用者に加盟店で提供されるサービスの情報である。各加盟店の加盟店サービスの情報は、該当する加盟店の加盟店サーバ１４にも記憶されている。
【００６６】
加盟店サーバ１４には、加盟店サービスの情報とともに、サービス提供条件の情報が関連づけて記憶されている。本実施の形態の例では、サービス提供条件は、高速道路を少なくとも１区間使い、最寄りインターチェンジから下りたことである。
【００６７】
図６は、加盟店サーバ５４の詳細な構成例を示すブロック図である。図６において、加盟店サーバ５４は、ＥＴＣゲート通過情報取得部７０、店舗サービス情報記憶部７２、店舗サービス抽出部７４およびサービス提供処理部７６を有する。
【００６８】
ＥＴＣゲート通過情報取得部７０は、ＥＴＣカードリーダ５２で読み取られたＥＴＣゲート通過情報を取得する。店舗サービス情報記憶部７２は、加盟店サービスの情報をサービス提供条件の情報と関連づけて記憶している。
【００６９】
上記のように、加盟店サービスは、ＥＴＣシステムの利用者に対して加盟店装置１４が設置された加盟店で提供されるサービスであり、また、サービス提供条件は、加盟店サービスの提供の条件であり、ＥＴＣゲート通過情報が含まれている。そして、加盟店サービスとサービス提供条件とは加盟店情報に含まれている。加盟店情報は加盟店サーバ５４に記憶されるとともに事業者装置１６にも管理されている。
【００７０】
店舗サービス抽出部７４は、店舗サービス情報記憶部７２に記憶されたサービス提供条件を読み出す。そして、店舗サービス抽出部７４は、ＥＴＣカード１８から読み取られたＥＴＣゲート通過情報をサービス提供条件と比較して、ＥＴＣゲート通過情報に示されるＥＴＣ利用履歴がサービス提供条件を満たすか否かを判定する。ここでは、ＥＴＣゲート通過情報から、利用者が高速道路を使い、最寄りの出口から下りてきたか否かが判定される。そして、店舗サービス抽出部７４は、最寄りの出口から下りてきたと判定されれば、店舗サービス情報記憶部７２に記憶される加盟店サービスの情報を読み出す。
【００７１】
サービス提供処理部７６は、店舗サービス抽出部７４により店舗サービス情報記憶部７２から読み出された加盟店サービスを提供するための処理を行う。サービス提供処理部７４は、例えば、ディスプレイ表示機能を有し、利用者が商品割引の対象客であることディスプレイに表示して、店舗従業員に知らせてもよい。同様に、サービス提供処理部７４は、利用者に提供すべき特典を示す情報（例えばドリンク贈呈）をディスプレイに表示して店舗従業員に知らせる処理を行ってもよい。これらの場合には、サービス提供処理部７４は、提供すべき店舗サービス情報を出力することで、サービス提供を実現している。
【００７２】
上記構成の店舗サーバ５４においては、ＥＴＣゲート通過情報取得部７０が、移動履歴情報を取得する取得手段に相当し、店舗サービス情報記憶部７２が、サービス提供態様と移動履歴との関係を示すサービス情報を記憶する記憶手段に相当し、店舗サービス抽出部７４が、取得手段によって取得された移動履歴情報が示す移動履歴に対応するサービス提供態様を上記記憶手段に記憶されたサービス情報から抽出する抽出手段に相当し、サービス提供処理部７４が、抽出手段によって抽出されたサービス提供態様に従ってサービス提供処理を行う処理手段に相当している。
【００７３】
図７は、加盟店サーバ５４のサービス提供処理部のより具体的な構成例を示している。この例では、加盟店サーバ５４は、商品の料金計算機能を備え、また、加盟店サービスとして商品割引計算が行われる。
【００７４】
図７において、加盟店サーバ５４は、ＥＴＣゲート通過情報取得部７０、店舗サービス情報記憶部７２、店舗サービス抽出部７４および料金計算処理部８０を備える。料金計算処理部８０に割引計算部８２が備えられ、割引計算部８２が図６のサービス提供処理部７６に相当する。
【００７５】
図７では、例えば、店舗サービス情報記憶部７２が、ＥＴＣシステム利用者への店舗サービスが１０％割引である旨を記憶している。料金計算処理部８０は、店舗従業員の操作に応じて入力される商品情報に基づき商品合計額を計算する。このとき、サービス提供条件が成立していると店舗サービス抽出部７４が判定していれば、割引計算部８２が機能して、商品合計額を１０％割引する計算を行う。料金計算処理部８０には、もちろん、消費税等の計算機能が備えられており、その他、会計計算機能やレシート出力機能等も備えられている。
【００７６】
次に、図８を参照し、本実施の形態の移動履歴情報利用システムの動作を説明する。図８の動作の前提として、事業者は、本システムの加盟店を広告手段を用いて募集する。各店舗は、事業者と契約手続きをし、その手続き完了後に正式に本システムの加盟店として認定される。
【００７７】
図８において、まず、事業者装置１６は、記憶している加盟店情報を、情報提供手段を（情報公知手段）を通じて車載装置１２に提供する（Ｓ１）。これにより、事業者は、認定された加盟店の情報を利用者に知らせ、利用者は加盟店情報を得る。情報提供手段は、各種情報を知らせる手段である。本実施の形態では、例えば、情報提供手段は、インターネット等の通信手段で構成され、事業者装置１６から車載装置１２に通信で提供される。このために、車載装置１２は、ナビゲーション装置に見られるようなマルチメディア機能を有し、情報入手機能および表示機能を備えている。その他、情報提供手段は、広告電子掲示板、広告チラシ、放送等でもよい。また、加盟店情報を入手するためには、事業者から利用者への情報料金の課金処理が行われる。そして、図５に示されるような加盟店情報から、目的の加盟店が決定される。
【００７８】
車両３０では、車載装置１２にＥＴＣカード１８が接続される（Ｓ３）。車両３０は、利用者の運転操作に従って、高速道路や有料道路等を走行する。車載装置１２は高速道路や有料道路の出入り口等に設置されるＥＴＣゲートやビーコンなどとの間で通信を行ない、ＥＴＣゲート通過情報を受信する。ＥＴＣゲート通過情報は、車載装置１２のカードリーダライタ４２によってＥＴＣカード１８に書き込まれる（Ｓ５）。
【００７９】
車両３０は、利用者の運転操作に従い、高速道路を出た後、一般道路を走行し、目的の加盟店５０に到着する。加盟店５０では、ＥＴＣカード１８が車載装置１２のカードリーダライタ４２から取り外され、加盟店装置１４の加盟店カードリーダ５２に接続される（Ｓ７）。
【００８０】
加盟店カードリーダ５２は、ＥＴＣカード１８からＥＴＣゲート通過情報を読み取り、加盟店サーバ５４に提供する（Ｓ９）。ＥＴＣゲート通過情報は、加盟店サーバ５４のＥＴＣゲート通過情報取得部７０によって取得される。
【００８１】
店舗サービス抽出部７４は、店舗サービス情報記憶部７２からサービス提供条件を読み出し、ＥＴＣゲート通過情報取得部７０が取得したＥＴＣゲート通過情報と比較し、そして、ＥＴＣゲート通過情報がサービス提供条件を満たすか否かを判定する（Ｓ１１）。ここでは、ＥＴＣゲート通過情報が、高速道路を少なくとも１区間利用したことと、最寄りインターチェンジから下りたことを示していれば、サービス提供条件が満たされる。この判定により、加盟店装置１４では、ＥＴＣゲート通過情報の内容が確認され、利用者が商品割引及び特典獲得対象者と認定される。サービス提供条件が満たされると、店舗サービス抽出部７４は、サービス提供条件と関連づけて記憶されている加盟店サービスの情報を店舗サービス情報記憶部７２から読み出す（Ｓ１３）。
【００８２】
加盟店サービスの情報が読み出されると、サービス提供処理部７６が、読み出された加盟店サービスの提供を実行する処理を行う（Ｓ１５）。例えば加盟店サービスが割引きであるとする。このとき、図７を参照して説明したように、料金計算処理部８０の割引計算部８２が、加盟店サービスの情報が示す割引率で割り引いた料金を計算する。加盟店サーバ５４が料金計算装置と接続され、料金計算装置へ割引を指示する信号が送られてもよい。
【００８３】
また例えば、加盟店サービスが特典であるとする。このとき、加盟店サーバ５４は、ディスプレイ上に特典を提供する指示を表示出力する。この出力を見て、店舗従業員により特典が利用者へ提供される。例えば、ドリンクや景品などが贈呈される。
【００８４】
また、加盟店サーバ５４は、ＥＴＣゲート通過情報を取り込んで記憶することで、ＥＴＣゲート通過情報を管理する（Ｓ１７）。さらに、加盟店装置１４と事業者装置１６とは通信回線２０で接続される。より詳細には、加盟店サーバ５４と事業者サーバ６２とが通信する。そして、加盟店利用者情報が加盟店サーバ５４から事業者サーバ６２に送信される（Ｓ１９）。加盟店利用者情報は、利用者数、利用者の来店日時、商品購入情報、利用者に提供したサービス内容等であり、サービス内容は、上記のように利用者に差し上げた割引きや特典情報である。
【００８５】
受信された加盟店利用者情報は事業者装置１６の事業者サーバ６２で管理される。管理部６４では、事業者サーバ６２で管理されている各加盟店５０の加盟店利用者情報を一括管理、保管する（Ｓ２１）。
【００８６】
加盟店利用者情報は、管理部６４に蓄積される。そして、蓄積された加盟店利用者情報に基づいて料金が加盟店５０に請求される。すなわち、管理部６４は、所定の請求処理タイミングで、加盟店利用者情報の内容を確認し、所定のシステム利用料金を算出し、加盟店５０に対して請求するための処理を行う（Ｓ２３）。これに応えて、各加盟店装置１４から事業者装置１６に本システム使用料金を支払う処理が行われる（Ｓ２５）。
【００８７】
次に、図９を参照し、加盟店サービスとそのサービス提供条件との各種の例を説明する。加盟点サービスおよびサービス提供条件は上記の例に限定されず、下記に挙げる各種の例が考えられる。
【００８８】
（１）まず、各加盟店での商品の割引率や特典獲得の条件として、利用者が高速道路や有料道路などを長距離利用して加盟店に来店した場合、商品の割引き率が増えたり、特典内容のグレードが上がったりしてもよい。このような割引の名称例および特典の名称例は、長距離割引等である。
【００８９】
上記の（１）の加盟店サービスに関し、加盟店サーバ５４は、ＥＴＣゲート通過情報から高速道路等の利用距離を求め、サービス提供条件が成立するか否かを判定する。以下の他の例でも、加盟店サーバ５４は、サービス提供条件の判定に必要な情報を入手し、サービス提供条件が成立するか否かを判定する。判定に使う情報は、典型的にはＥＴＣカードから取得されるが、他の構成から、例えば、加盟店サーバ５４の入力装置から入力されてもよい。
【００９０】
（２）各加盟店での商品の割引率や特典獲得の条件として、利用者が高速道路等を短距離または短区間だけ利用して加盟店に来店した場合、商品の割引き率が増えたり、特典内容のグレードが上がったりしてもよい。例えば、高速道路等を１区間や２区間等の比較的短い距離だけでも利用して加盟店に来店すれば、高速道路等の利用者数が増え、行政や管理運営組織としても利点があるし、一般道路の交通渋滞の軽減の一助となる。このような割引の名称例および特典の名称例は、短距離割引等である。
【００９１】
（３）各加盟店での商品の割引率や特典獲得の条件として、本システムの利用回数が一定回数を超える毎に、事業者から利用者に特典等を進呈してもよい。このような割引の名称例および特典の名称例は、フリキェンシー割引等である。
【００９２】
（４）各加盟店での商品の割引率や特典獲得の条件として、利用者が県外から高速道路等を利用して加盟店に来店した場合、商品の割引き率が増えたり、特典内容のグレードが上がったりしてもよい。このような割引の名称例および特典の名称例は、県外来店者割引等である。
【００９３】
（５）各加盟店での商品の割引率や特典獲得の条件として、高速道路等のインターチェンジからの距離や所要時間等に応じて割引率や特典内容が変化してもよい。これにより、例えば、インターチェンジから遠く離れた地域で地理的に不利であっても、商品の割引や特典内容に魅力があれば、充分にお客を呼び込むことが可能である。このような割引の名称例および特典名称例は、わざわざようこそ割引等である。
【００９４】
（６）各加盟店での商品の割引率や特典獲得の条件として、同一地域内の複数の加盟店を利用した場合に、別途割引きや特典等を進呈してもよい。例えば、２店以上の加盟店を利用すれば、別に割引きや特典やポイントが得られる。お客としても利点があり、地域としても次から次へと客を獲得できるので、本システムを採用することで地域の加盟店同士で経営的に助け合う効果が期待できる。このような割引の名称例および特典の名称例は、地域貢献割引等である。
【００９５】
（７）各加盟店での商品の割引率や特典獲得の条件として、知人に加盟店を紹介し、その知人が実際に来店した場合に、紹介者に対して紹介割引きや特典等を進呈してもよい。このような割引の名称例および特典の名称例は、知人紹介割引等である。
【００９６】
（８）各加盟店での商品の割引率や特典獲得の条件として、加盟店への来店を事前に伝えたり、予約した場合に予約割引や特典等を進呈してもよい。このような割引の名称例および特典の名称例は、事前連絡割引等である。
【００９７】
（９）各加盟店での商品の割引率や特典獲得の条件として、同一加盟店への、一定期間内の利用回数によって商品の割引き率が増えたり、特典内容のグレードが上がったりしてもよい。このような割引の名称例および特典の名称例は、マイレージ割引等である。
【００９８】
加盟店サーバ５４は、複数種類の加盟店サービスを記憶していてもよい。上記のうちの２種類以上の加盟店サービスが記憶される。複数種類の加盟店サービスの各々は、その加盟店サービスを得るためのサービス提供条件とともに記憶される。加盟店サーバ５４の店舗サービス抽出部７４は、複数種類のサービス提供条件のどれが満たされるかを判定し、判定結果に従い、満たされたサービス提供条件に対応する加盟店サービスを読み出す。そして、サービス提供処理部７６は、店舗サービス抽出部７４により読み出された加盟店サービスを提供する処理を行う。
【００９９】
また、本実施の形態の移動履歴情報利用システム１０の応用として、下記のような処理を行うことも適当である。
【０１００】
事業者装置１６は、全国からの各加盟店の加盟店情報、つまり、全国の加盟店の利用者数の情報を蓄積している。事業者装置１６は、蓄積された情報を参照し、集計および比較処理を行い、全国での総合順位、都道府県別での順位、および市町村での順位をそれぞれ決定し、上位加盟店等に対して表彰を行なうための処理を行う。これにより、本システムを利用している各加盟店や地域等に対して実施する表彰制度を実現できる。
【０１０１】
例えば、優良加盟店の表彰制度として月間ＭＶＳ（Most Valuable Shop）や年間ＭＶＳ等を設けてもよい。また、優良地域の表彰制度として月間ＭＶＡ（Most Valuable Area）や年間ＭＶＡなどを設けてもよい。事業者装置１６は、蓄積された加盟店情報の統計処理により、上記の月間ＭＶＳ、年間ＭＶＳ、月間ＭＶＡ、年間ＭＶＡ等の対象を決定し、決定した対象者を示す情報をディスプレイ上に表示して出力する。対象者はプリンタで印刷されてもよい。このような表彰制度を実現する処理によって、各加盟店にとっては経営のやる気に繋がるし、地域にとっては、地域活性化のやる気に繋がる。
【０１０２】
また、上述のシステムでは、典型的には加盟店にシステム利用料金を負担させる処理機能が設けられるが、このような処理機能が設けられなくてもよい。後者の場合には、事業者自身が利用料金を負担することとなる。例えば、高速道路や有料道路等を管理運営する組織が事業者の場合、高速道路や有料道路等のサービスエリアの規模を縮小でき経費削減できたり、高速道路や有料道路から一般道に一度下りて再度高速道路や有料道路を利用した時に掛かる利用料金の割増し分が新たな収益になるので、本システム利用料金を加盟店が事業者に払わずに、上記の如く協力費として事業者が負担してもよい。このように、本システムにかかる各費用の負担はだれが行なってもよく、つまり、各費用の負担者を限定されず、負担者に応じて本システムの費用負担処理部分が構成されればよい。
【０１０３】
また、本システムにおいては、加盟店装置１４と事業者装置１６とが一体であってもよく、そして、事業者と加盟店は同一であってもよい。このシステム構成は、例えば、各店舗自らが、事業者として本システムを運営したときに採用される。
【０１０４】
以上に本発明の第１の実施の形態の移動履歴情報利用システムを説明した。このような移動履歴情報利用システムによれば、高速道路や有料道路などの利用者が、加盟店情報を得て、高速道路や有料道路等を利用し目的の加盟店に到着し、利用者のＥＴＣカードを加盟店カードリーダに接続し、ＥＴＣゲート通過情報を読み込み、ＥＴＣゲート通過情報を確認され加盟店の割引や特典獲得などの条件を満たしていれば、商品の割引きや特典などを獲得することができる。
【０１０５】
また、加盟店装置は、ＥＴＣゲート通過情報を読み取る為の加盟店カードリーダと加盟店サーバとを備えたことで、加盟店での各利用者のＥＴＣゲート通過情報を管理することができる。また、事業者装置は、各加盟店から送られる加盟店利用者情報を一括管理、保管することができる。
【０１０６】
そして、本実施の形態によれば、高速道路等の利用者の利用状況を管理するＥＴＣゲート通過情報を用いて、高速道路等の利用者に対しては、利用距離に関係なく、すなわち短距離利用であっても、高速道路等を利用するメリットを提供できる。したがって、利用者に対しては、高速道路等の利用の意欲を増大できるとともに、また、新たな購買機会や購買意欲などを提供することができる。
【０１０７】
また、店舗等に対しては、高速道路等のインターチェンジから離れた地域の店舗に高速道路等を利用して来店するお客を獲得する機会を提供することもできる。
【０１０８】
また、行政、高速道路等を管理運営する組織に対しては、高速道路等の利用者が増加するので利点がある。また、高速道路等の利用者が利用距離や利用区間に関係なく高速道路等を利用し易くなり、高速道路等の利用者が増加し、このことは、一般道等で発生する交通渋滞の緩和に繋がり、交通渋滞によって発生する車両等による排気ガス等の公害をも抑えることができ、自然環境に対しても利点がある。
【０１０９】
また、本システムにより、高速道路から一般道路に下りて店舗等を利用する機会を増大でき、高速道路から下りた地域の集客力を増大し、地域活性が図れる。
【０１１０】
このように、本システムを採用することで、利用者に利点を提供するとともに、店舗、行政及び自然環境にも利点を提供しながら、地域にお客を集めて地域活性化を促進できる移動履歴情報利用システムを提供することが可能である。
【０１１１】
次に、図１０は、本発明の第２の実施の形態の移動履歴情報利用システム９０を示している。なお、以下で説明されない部分の構成および動作は、第１の実施の形態と同様である。
【０１１２】
図１０において、移動履歴情報利用システム９０は、加盟店及び事業者間の通信回線として加盟店通信端末９２と事業者通信端末９４とを利用する構成となっている。すなわち、走行情報利用装置である加盟店装置１４は、加盟店サーバ５４に接続される加盟店通信端末９２を有し、情報管理装置である事業者装置１６は、事業者サーバ６２に接続される事業者通信端末９４を有し、加盟店通信端末９２と事業者通信端末９４とが接続される。
【０１１３】
本実施の形態では、加盟店装置１４と事業者装置１６とは、加盟店通信端末９２と事業者通信端末９４で接続され、無線通信を行う。加盟店利用者情報の通信も、これら通信端末を用いて行われる。
【０１１４】
すなわち、各加盟店における本システムの利用状況を事業者に報告する為に、加盟店利用者情報は、加盟店通信端末９２によって加盟店装置１４から送信され、事業者通信端末９４へと伝送される。事業者装置１６では、事業者通信端末９４にて受信した加盟店利用者情報を事業者サーバ６２内に取り込み管理する。事業者サーバ６２内の加盟店利用者情報は管理部６４に取り込まれ、一括管理される。
【０１１５】
このような本発明の第２の実施の形態の移動履歴情報利用システムによれば、加盟店が移動式の店舗であっても加盟店装置を設置できる。
【０１１６】
次に、図１１は、本発明の第３の実施の形態の移動履歴情報利用システム１００を示している。なお、以下で説明されない部分の構成および動作は、第１の実施の形態と同様である。
【０１１７】
図１１において、移動履歴情報利用システム１００は、事業者装置１６と車載装置１２との間で双方向に情報を伝達可能な構成になっている。すなわち、移動履歴情報利用システム１００では、車載装置１２と事業者装置１６とは、双方向通信手段で接続され、この双方向通信手段を介して事業者装置１６から車載装置１２へ加盟店情報が提供される。
【０１１８】
より詳細には、双方向通信手段はインターネット１０２であり、事業者装置１６はＷＷＷサーバの機能を有し、車載装置１２はブラウザ機能を有する。
【０１１９】
さらに、事業者装置１６は、ＥＴＣゲート３２およびビーコン１０４といった路側装置へと加盟店情報を送り、路側装置を介して加盟店情報を車載装置１２へ提供する機能を有する。車載装置１２は、ＥＴＣゲート１２やビーコン１０４等との通信機能を有する。
【０１２０】
本実施の形態では、加盟店サービスの情報を含む加盟店情報は以下のようにして事業者装置１６から車載装置１２に提供される。利用者は、次の２つの方法で加盟店情報を入手する。
【０１２１】
一つ目の方法として、インターネットを利用する場合、車載装置１０のブラウザ機能が動作する。検索機能が利用され、お好みの加盟店の詳細な情報が閲覧される。二つ目の方法としては、高速道路や有料道路、駐車場の出入り口等に配置されているＥＴＣゲート３２付近を車両３０が通過すると、車両３０内の車載装置１２がＥＴＣゲート３２やビーコン１０４等との間で通信を行ない、加盟店情報を自動的にダウンロードする。利用者は加盟店情報をもとに情報検索し、お好みの加盟店の詳細な情報を得ることができる。
【０１２２】
このような本発明の第３の実施の形態の移動履歴情報利用システムによれば、利用者は、加盟店サービスの情報を双方向通信手段を利用して入手することで、利用者の目的に合わせた加盟店サービスの検索ができたり、また、事前に加盟店サービスを検索し準備することができる。さらには、車載装置が加盟店サービスの情報を自動的にダウンロードして入手するように構成することで、地域特有の店舗サービスの情報（それぞれのＥＴＣゲート等が設置された地域の情報）を地域毎に入手することができ、利用者がわざわざ加盟店サービスの情報を入手する手間が省ける。また、上記の検索と自動ダウンロードでもって、柔軟な対応が可能な複数通りの情報入手経路を提供でき、利用者の利用目的に合わせた加盟店サービスの情報の収集が容易になる。
【０１２３】
次に、図１２〜図１４は、本発明の第４の実施の形態の移動履歴情報利用システムを示している。なお、以下で説明されない部分の構成および動作は、第１の実施の形態と同様である。
【０１２４】
図１２〜図１４に示されるように、本実施の形態の移動履歴情報利用システムでは、加盟店装置１４のＥＴＣカードリーダ５２が、ＡＣ電源１１０からの電源供給、ＤＣ電源１１２からの電源供給および装置間接続手段１１４を介した電源供給を選択的に受けられるように構成されている。
【０１２５】
すなわち、図１２は、ＡＣ電源１１０から電源供給を行うタイプの加盟店装置１４の内部構成を示す。図１２の加盟店カードリーダ５２は、ＡＣ電源１１０から電源供給され動作する。ＡＣ電源１１０は交流電源であり、例えば、家庭の１００Ｖ交流電源が利用できる。
【０１２６】
また、図１３は、ＤＣ電源１１２から電源供給を行うタイプの加盟店装置１４の内部構成を示す。加盟店カードリーダ５２は、ＤＣ電源１１２から電源供給され動作する。ＤＣ電源１１２は直流電源であり、例えば、電池やバッテリーなどである。
【０１２７】
また、図１４は、装置間接続手段１１４を加盟店サーバ５４との間に接続することにより電源供給を行うタイプの加盟店装置１４の内部構成を示す。図１４の加盟店カードリーダ５２は、加盟店サーバ５４との間に接続された装置間接続手段１１４から電源供給され動作する。装置間接続手段１１４は、パーソナルコンピュータ等の周辺機器を接続する為の専用ケーブルであり、これにより、装置間のデータの伝送及び電源供給を行なうことができる。例えば、ＵＳＢケーブル等が利用できる。
【０１２８】
このような本発明の第４の実施の形態の移動履歴情報利用システムによれば、各加盟店の店舗状況に応じて加盟店カードリーダへの電源供給の構成を選択することができ、加盟店装置を設置する際に店舗状況に柔軟に対応でき、店舗への加盟店装置の設置が容易になる。
【０１２９】
次に、図１５〜図１７は、本発明の第５の実施の形態の移動履歴情報利用システムを示している。なお、以下で説明されない部分の構成および動作は、第１の実施の形態と同様である。本実施の形態は、料金請求および支払に関するより詳細な構成例を示すものであり、本実施の形態の移動履歴情報利用システムは、加盟店が通信回線を通して加盟店利用者情報を事業者に送信し、事業者にて加盟店利用者情報を管理し、システム使用料金を加盟店に請求したり、又は、契約料金として定期的に徴収できるように構成されている。
【０１３０】
図１５において、事業者装置１６の管理部６４は、利用者情報蓄積部１２０と料金請求処理部１２２とを備える。利用者情報蓄積部１２０は、加盟店装置１４から受信した加盟店利用者情報を蓄積する。加盟店利用者情報は、前述のように、利用者数、利用者の来店日時、商品購入情報、利用者に差し上げた割引きや特典情報等である。料金請求処理部１２２は、利用者情報蓄積部１２０に蓄積された加盟店利用者情報を読み出して、加盟店利用者情報に応じて加盟店装置１４を備える加盟店への料金請求情報を生成する処理を行う。料金請求情報は、請求金額の情報を含んでいる。
【０１３１】
図１６は、図１５の構成によるシステム使用料金の処理動作を示している。各加盟店装置１４は、加盟店利用者情報を事業者装置１６に送信する（Ｓ３１）。事業者装置１６では、受信された加盟店利用者情報が利用者情報蓄積部１２０に蓄積される。そして、料金請求処理部１２２が、加盟店利用者情報の内容を確認し、それに見合った本システム利用料金を算出し、料金請求情報を生成し、この料金請求情報が事業者装置１６から加盟店装置１４に送信される（Ｓ３３）。システム使用料金は、加盟店が本システムを使用する毎に掛かる料金のことであり、例えば、来店した利用者１件につき所定の金額を事業者に支払うように設定されてもよく、本システムによって得た加盟店の売上の一部を事業者に支払うように設定されてもよい。料金請求処理部１２２は、上記のような予め定められた規則に従って料金を計算することで、料金請求情報を生成する。加盟店装置１４は、料金請求情報を受信すると、事業者１２６から請求された本システム利用料金を通信回線により支払う処理を行う（Ｓ３５）。なお、郵便及び銀行振込等によって支払いが行われてもよい。
【０１３２】
図１７は、図１５の構成による契約料金の定期的な処理動作を示している。事業者装置１６の料金請求処理部１２２は、定期的に契約料金を請求するための料金請求情報を生成する。契約料金は、店舗が事業者に支払う本システムの加盟店申し込み時にかかる費用のことであり、例えば、１ヶ月毎や１年毎のような定期的に支払う料金でもよいし、本システムの加盟店申し込み時の１回だけに支払う料金であってもよい。料金請求処理部１２２は、予め定められた規則に従って契約料金を計算することで、契約料金についての料金請求情報を生成する。図１７に示すように、契約料金の料金請求情報は、事業者装置１６から加盟店装置１４に送信され（Ｓ４１）、加盟店装置１４は、料金請求情報を受信すると、事業者１２６から請求された契約料金を通信回線により支払う処理を行う（Ｓ４３）。なお、郵便及び銀行振込等によって支払いが行われてもよい。
【０１３３】
このような本発明の第５の実施の形態の移動履歴情報利用システムによれば、加盟店と事業者間とが通信回線にて接続されており、本システム使用料金や契約料金の請求の案内および支払い、振込み等の会計に関する案内や手続き等をオンラインにて行なうことができ、これらの処理に掛かる諸経費等を抑えることができる。
【０１３４】
次に、図１８〜図２０は、本発明の第６の実施の形態の移動履歴情報利用システムを示している。なお、以下で説明されない部分の構成および動作は、第１の実施の形態と同様である。本実施の形態は、利用者が加盟店情報を確認する為に情報提供手段（情報公知手段）を利用する際に生じる情報料金等を加盟店又は事業者が支払う処理を行うように構成されている。
【０１３５】
図１８において、車載装置１２は、事業者装置１６と通信で接続され、事業者装置１６から加盟店サービスを含む加盟店情報を通信で受信する。事業者装置１６の管理部６４は、情報提供履歴蓄積部１３０と情報提供料情報処理部１３２とを備える。
【０１３６】
情報提供履歴蓄積部１３０は、車載装置１２への加盟店情報提供の履歴を蓄積する。情報提供料情報処理部１３２は、情報提供履歴蓄積部１３０に蓄積された加盟店情報提供の履歴を読み出す。情報提供料情報処理部１３２は、読み出された情報提供の履歴に応じて事業者自身または加盟店に車載装置１２への情報提供料を負担させるための情報提供料負担情報を生成する。
【０１３７】
加盟店が情報提供料を負担する場合、情報提供料情報処理部１３２は、情報提供履歴蓄積部１３０から読み出された情報提供の履歴に応じて、店舗に車載装置１２への情報提供料を負担させるための情報提供料請求情報を生成する。この情報提供料請求情報が、図１８に点線で示すように、加盟店装置１４に送られ、処理される。情報提供料請求情報は請求金額の情報を含んでいる。請求金額の情報は、上述の事業者から加盟店へのシステム利用料金等の請求情報の中に含められて、加盟店装置１４に送られてもよい。
【０１３８】
図１９は、本実施の形態の動作を示している。事業者装置１６は車載装置１２からの要求に応えて加盟店情報を車載装置１２に送る（Ｓ５１）。これにより、車載装置１２は加盟店情報を事業者装置１６から提供される。事業者装置１６では、情報提供履歴蓄積部１３０が、車載装置１２への加盟店情報提供の履歴を蓄積する。
【０１３９】
図１９の例では、情報提供料を事業者自身が負担するとする。この場合、情報提供料情報処理部１３２は、情報提供履歴蓄積部１３０に蓄積された加盟店情報提供の履歴を読み出し、読み出された情報提供の履歴に応じて事業者自身に車載装置１２への情報提供料を負担させるための情報提供料負担情報を生成する。ここでは、情報提供料が算出され、事業者装置１６内で記憶、管理される。したがって、図１９に示されるように、加盟店情報の提供料を徴収する処理は行われない。
【０１４０】
図２０は、本実施の形態のもう一つの動作例を示している。この例では、情報提供料を加盟店に肩代わりさせる処理が行われる。図２０において、事業者装置１６は車載装置１２からの要求に応えて加盟店情報を車載装置１２に送る（Ｓ６１）。これにより、車載装置１２は加盟店情報を事業者装置１６から提供される。事業者装置１６では、情報提供履歴蓄積部１３０が、車載装置１２への加盟店情報提供の履歴を蓄積する。
【０１４１】
情報提供料情報処理部１３２は、情報提供履歴蓄積部１３０に蓄積された加盟店情報提供の履歴を読み出し、読み出された情報提供の履歴に応じて加盟店に車載装置１２への情報提供料を負担させるための情報提供料負担情報を生成する。ここでは、情報提供料情報処理部１３２は、情報提供履歴蓄積部１３０から読み出された情報提供の履歴に応じて、店舗に車載装置１２への情報提供料を負担させるための情報提供料請求情報を生成する。この情報提供料請求情報が、加盟店装置１４に送られ、処理される。加盟店装置１４は、情報提供料請求情報を受信すると、事業者１２６から請求された料金を通信回線により支払う処理を行う（Ｓ６３）。
【０１４２】
このような本発明の第６の実施の形態の移動履歴情報利用システムによれば、利用者が情報公知手段を使用する際に掛かる情報料金を気にせずに気軽に加盟店の選定を行なえるので、本システムの利用を促進でき、本システムの普及に繋げることができる。
【０１４３】
次に、図２１は、本発明の第７の実施の形態の移動履歴情報利用システムを示している。なお、以下で説明されない部分の構成および動作は、第１の実施の形態と同様である。本実施の形態は、各加盟店での商品の割引率や特典獲得などの為の条件を各加盟店が決定するように構成されている。
【０１４４】
図２１において、事業者装置１６の事業者サーバ６２は、サービス情報管理部１４０と店舗サービス登録部１４２とを備えている。サービス情報管理部１４０は、複数の加盟店のそれぞれについて加盟店情報を記憶し、管理している。加盟店サーバ５４から事業者サーバ６２へは、加盟店装置１４が設置された加盟店の加盟店情報が送信される。加盟店情報には加盟店サービスの情報が含まれる。事業者サーバ６２の店舗サービス登録部１４２は、受信された加盟店情報をサービス情報管理部１４０に登録する処理を行う。
【０１４５】
加盟店情報は、サービス情報管理部１４０で記憶され、管理される。そして、加盟店情報は、既に説明したように、事業者装置１６から利用者に向けて提供される。
【０１４６】
なお、サービス情報管理部１４０および店舗サービス登録部１４２の機能は事業者装置１６の管理部６４に備えられてもよい。
【０１４７】
このように本実施の形態では、加盟店が自分の店で提供するサービスの条件等を登録できる。例えば、図９に示される各種のサービスを登録可能である。図９は、既にサービス種類ごとに説明した通り、各加盟店が利用者に対して提供する商品の割引名称例、それを獲得する為の条件例、割引や特典の進呈例を示している。
【０１４８】
例えば、加盟店が長距離割引を採用している場合、図９の長距離割引の情報が事業者装置１６に登録されるとともに、加盟店装置１４にも記憶されており、サービス提供可否の判定と実際のサービス提供の処理に用いられる（他のサービスについても同様）。利用者が高速道路や有料道路を１００ｋｍ利用して加盟店に来店したとすると、条件の項目から判断すると商品は１０％の割引される。
【０１４９】
また、利用者が高速道路や有料道路を利用して、地域貢献割引を採用している加盟店に来店したとすると、加盟店が提示する条件に合えば、地域貢献割引を受けられる。
【０１５０】
なお、上記説明について、加盟店は加盟店独自の割引や特典を利用者に進呈してもよいし、事業者が予め推奨する代表的な割引例や特典獲得条件例を利用しても構わない。
【０１５１】
このような本発明の第７の実施の形態の移動履歴情報利用システムによれば、割引や特典獲得の条件の決定を各加盟店に一任しており、各加盟店での商品の割引率や特典を獲得する為の条件を事業者が管理する必要がなく、事業者が管理する各加盟店のデータ情報量を抑えることができ、事業者装置の設備規模を小さくできる。
【０１５２】
また、割引や特典に関して利用者と加盟店との間にトラブル等が発生した場合は、その責任を加盟店側に一任できる。
【０１５３】
次に、図２２は、本発明の第８の実施の形態の移動履歴情報利用システムを示している。なお、以下で説明されない部分の構成および動作は、第１の実施の形態と同様である。本実施の形態は、利用者の移動距離の算出手段として携帯端末の位置情報等を利用するように構成されている。
【０１５４】
図２２において、加盟店装置１４の加盟店サーバ５４は、移動距離算出部１５０および位置情報入力部１５２を備える。携帯端末１５４は移動体通信機器であり、例えば、携帯電話等が利用できる。
【０１５５】
移動距離算出部１５０には、位置情報入力部１５２を介して、携帯端末１５４が記憶する位置情報が入力される。移動距離算出部１５０は、携帯端末１５４の位置情報に基づいて、携帯端末１５４を所有する利用者の移動距離を算出する。携帯端末１５４の位置情報は、携帯端末１５４から加盟店サーバ５４に無線で伝送することで、加盟店サーバ５４に入力されてもよい。また、携帯端末１５４のディスプレイに表示される情報が加盟店従業員等に確認され、手作業で加盟店サーバ５４に入力されてもよい。そして、店舗サービス抽出部７４は、本実施の形態では、算出された移動距離に基づいてサービス提供条件が満たされるか否かを判定する。サービス提供処理部７６は、店舗サービス抽出部７４の判定結果に応じて動作する。なお、店舗サービス抽出部７４は、第１の実施の形態と同様にＥＴＣカード１８から得られたＥＴＣゲート通過情報に基づく処理も行うことができる。
【０１５６】
図２３は携帯端末１５４の例を示している。図２３を参照すると、携帯端末１５４は無線基地局１５６との間で定期的に通信を行なっている。携帯端末１５４は通信を行なっている無線基地局１５６の位置情報等を把握している。また、無線基地局１５６も通信を行なっている携帯端末１５４の位置情報を把握している。図２３のように、携帯端末１５４は通信を行なっている無線基地局１５６の地名等の位置情報履歴を表示することができる。
【０１５７】
図２３の位置情報は無線基地局１５６の地名等の位置情報履歴であり、実際には正確に携帯端末１５４の情報ではないが、通常、無線基地局１５６の通信エリアは数ｋｍであるので、高速道路や有料道路の利用前の位置情報履歴と利用後の位置情報履歴とを比較すれば、本実施の形態のシステムが要求する範囲の精度では、携帯端末１５４を持っている人の大体の移動距離や移動エリアを算出できる。
【０１５８】
そこで、図２３のような携帯端末１５４の表示画面に、高速道路等の利用証明手段、例えば、高速道路利用領収書等を添えて各加盟店の店員に提示すれば、これらは、高速道路等を利用して別地域から移動して本加盟店に来店したという証明になり、割引対象者として認められる。
【０１５９】
このとき、店員により携帯端末１５４のディスプレイ表示が読み取られ、加盟店サーバ５４に入力されると、前述のように、加盟店サーバ５４で距離計算とサービス提供可否の判定が行われる。
【０１６０】
また、図２４は携帯端末１５４の別の例を示している。図２４の携帯端末１５４は、ＧＰＳ（Global Positioning System）機能を搭載している。この場合は、携帯端末１５４自らの位置情報の保存や表示できるので、高速道路等の利用前のＧＰＳによる位置情報を保存しておき、目的の加盟店に到着後に、高速道路等の利用証明手段を添えて各加盟店の店員に提示すれば、高速道路等利用して別地域から移動して本加盟店に来店したという証明になり、割引対象者として認められる。
【０１６１】
このような本発明の第８の実施の形態の移動履歴情報利用システムによれば、利用者が高速道路や有料道路を利用した移動距離によって各店舗での商品の割引率や特典のグレードが変動する条件がある場合に、携帯端末に記憶される位置情報を元に移動距離の算出を行なうことができ、算出された移動距離に基づいてサービス提供条件が満たされるか否かを判定することができる。
【０１６２】
また、車両に車載装置を取り付けていない利用者でも、携帯端末を使って店舗サービス利用の条件が満たされたかどうかを判定でき、本システムの割引や特典を得ることが可能となる。
【０１６３】
次に、図２５は、本発明の第９の実施の形態の移動履歴情報利用システムを示している。なお、以下で説明されない部分の構成および動作は、第１の実施の形態と同様である。本実施の形態は、加盟店サーバとして通信端末を利用するように構成されている。
【０１６４】
図２５において、加盟店装置１４は、ＥＴＣカードリーダ５２と通信端末１６０とを有する。すなわち、加盟店サーバとして通信端末１６０が設けられている。通信端末１６０は、無線通信を行なったり、データ情報を保存できる通信機器であり、加盟店サーバとしての機能を果たせる。通信端末１６０としては、例えば、携帯電話等が利用できる。
【０１６５】
本実施の形態では、まず、ＥＴＣカード１８が加盟店カードリーダ５２に接続される。加盟店カードリーダ５２はＥＴＣカード１８からＥＴＣゲート通過情報を読み取る。読み取られたＥＴＣゲート通過情報は、通信端末１６０内に取り込まれ、管理される。通信端末１６０は、前述のサービス提供条件の判定、店舗サービスの読出しおよびサービス提供のための処理も行う。そして、通信端末１６０を通して加盟店利用者情報が事業者装置１６に対して送信される。
【０１６６】
このような本発明の第９の実施の形態の移動履歴情報利用システムによれば、加盟店装置の小型軽量化および低コスト化が可能になるので、加盟店が本システムを開始する為の初期投資を低く抑えることができる。また、加盟店にとっては、加盟店に設置する装置、即ち加盟店装置の規模を小さくできる。
【０１６７】
次に、図２６は、本発明の第１０の実施の形態の移動履歴情報利用システムを示している。なお、以下で説明されない部分の構成および動作は、第１の実施の形態と同様である。本実施の形態は、事業者サーバとして事業者通信端末を利用するように構成されている。
【０１６８】
図２６において、事業者装置１６は、事業者通信端末１７０と管理部６４とを備えている。すなわち、事業者サーバとして事業者通信端末１７０が設けられている。本実施の形態でも、事業者通信端末１７０は、無線通信を行なったり、データ情報を保存できる通信機器であり、事業者サーバとしての機能を果たせる。事業者通信端末１７０としては、例えば、携帯電話等が利用できる。
【０１６９】
本実施の形態では、事業者通信端末１７０は、通信回線を通して加盟店装置１４から加盟店利用者情報を受信する。受信された加盟店利用者情報は事業者通信端末１７０にて管理される。また、管理部６４は、事業者通信端末１７０にて受信された加盟店利用者情報を読み取り、管理、保管する。
【０１７０】
このような本発明の第１０の実施の形態の移動履歴情報利用システムによれば、事業者が本システムを開始する為の初期投資を低く抑えることができる。また、事業者にとっては、事業者が移動中でも、各加盟店からの加盟店利用者情報を通信し、管理することができ、移動型の事業者でも高品質なサービスシステムを加盟店又は利用者に提供することができる。
【０１７１】
次に、図２７は、本発明の第１１の実施の形態の移動履歴情報利用システムを示している。なお、以下で説明されない部分の構成および動作は、第１の実施の形態と同様である。本実施の形態は、加盟店カードリーダ同様の機能を通信端末にもたせる構成になっている。
【０１７２】
図２７において、加盟店装置１４は、カードリーダ機能付きの通信端末１８０で構成されている。通信端末１８０は、無線通信を行なったり、データ情報を保存できる通信機器であり、これにより加盟店サーバとしての機能を果たせる。通信端末１８０は、さらに、ＥＴＣカードリーダの機能も備え、ＥＴＣカード１８のＥＴＣゲート通過情報を読むこともできる。通信端末１８０としては、例えば、カードリーダ機能を備えた携帯電話等が利用できる。
【０１７３】
本実施の形態では、ＥＴＣカード１８が、カードリーダ機能付きの通信端末１８０に接続される。通信端末１８０は、カードリーダ機能を用いて、ＥＴＣカード１８からＥＴＣゲート通過情報を読み取り、また、データ保存機能を用いて、入手したＥＴＣゲート通過情報を管理する。通信端末１８０は、前述のサービス提供条件の判定、店舗サービスの読出しおよびサービス提供のための処理も行う。また、通信端末１８０は、データ通信機能を用いて、通信回線を通して加盟店利用者情報を事業者装置１６に対して送信する。
【０１７４】
このような本発明の第１１の実施の形態の移動履歴情報利用システムによれば、カードリーダ機能を通信端末に持たせたので、利用者のＥＴＣカードからＥＴＣゲート通過情報等を移動しながら読み取ることができる。また、加盟店装置の規模を小さくでき、移動式の加盟店でも利用できる。
【０１７５】
次に、図２８は、本発明の第１２の実施の形態の移動履歴情報利用システムを示している。なお、以下で説明されない部分の構成および動作は、第１の実施の形態と同様である。本実施の形態は、車載装置側から、希望する種類の加盟店情報を要求しダウンロードする構成になっている。
【０１７６】
図２８において、車載装置１２は、事業者装置１６に、提供を受けるべき加盟店サービスの情報の種類を示す種類要求を送信する。例えば、飲食店、衣料店といった加盟店の種類が、種類要求として使われる。そして、車両装置１２は、事業者装置１６から、上記の種類要求に対応する加盟店情報をダウンロードする。加盟店情報には、利用可能な加盟店サービスの情報が含まれる。
【０１７７】
上記の機能は、車載装置１２に備えたブラウザ機能と、事業者装置１６に備えたＷＷＷサーバの機能とにより実現可能である。ブラウザ機能を使って、検索キーワードとして種類要求が入力される。そして、ＷＷＷサーバの検索エンジン機能により、種類要求に応じた加盟店情報がダウンロードされる。
【０１７８】
図２９は、車載装置が、事業者からダウンロードした加盟店情報である。この情報は、利用者が車載装置を利用し、例えば、地域を石川県と富山県に指定し、また、商品カテゴリーを飲食店に指定した結果であり、情報量が限定されており、少なくなっている。
【０１７９】
このような本発明の第１２の実施の形態の移動履歴情報利用システムによれば、地域、商品種類やカテゴリー等を限定した加盟店情報を利用者が得られるので、車両の運転中でも混乱することなく、目的に沿った加盟店を選択し決定できる。
【０１８０】
以上に本発明の好適な実施の形態を説明した。しかし、本発明は上述の実施の形態に限定されず、当業者が本発明の範囲内で上述の実施の形態を変形可能なことはもちろんである。
【０１８１】
例えば、上述の実施の形態では、交通手段が高速道路等であったが、本発明はこれに限定されない。交通手段は例えば電車でもよい。具体的には、Ａ駅からＢ駅を経由してＣ駅に電車にて移動する場合、Ｂ駅で下車するか否かでＡ駅からＣ駅までの移動料金が異なり、Ｂ駅で下車すると、移動料金が割り増しになる。この状況は、上記の高速道路を利用する実施の形態と同様であり、したがって、電車についても本発明を適用できる。ＥＴＣカードの代わりに、電車の移動履歴が分かる課金用のカードが使われてよい。
【産業上の利用可能性】
【０１８２】
以上のように、本発明にかかる移動履歴情報利用システムは、移動履歴情報を店舗等の装置で読み取って活用する情報処理を行うことにより、短距離利用者にも交通手段の利用のメリットを提供でき、交通手段を利用して到来する客数を増大して地域活性を図れるという効果を有し、通行距離に応じて課金するＥＴＣシステムなどとして有用である。
【図面の簡単な説明】
【０１８３】
【図１】本発明の第１の実施の形態における移動履歴情報利用システムのブロック図
【図２】本発明の第１の実施の形態における車載装置の構成を示すブロック図
【図３】本発明の第１の実施の形態における加盟店装置の構成を示すブロック図
【図４】本発明の第１の実施の形態における事業者装置の構成を示すブロック図
【図５】本発明の第１の実施の形態における加盟店情報を示す図
【図６】本発明の第１の実施の形態に係る加盟店サーバの構成を示すブロック図
【図７】本発明の第１の実施の形態に係る加盟店サーバの構成を示すブロック図
【図８】本発明の第１の実施の形態に係る移動履歴情報利用システムの動作を示すフロー図
【図９】本発明の第１の実施の形態に係る加盟店サービスとそのサービス提供条件の各種の例を示す図
【図１０】本発明の第２の実施の形態の移動履歴情報利用システムを示す図
【図１１】本発明の第３の実施の形態の移動履歴情報利用システムを示す図
【図１２】本発明の第４の実施の形態の移動履歴情報利用システムを示す図
【図１３】本発明の第４の実施の形態の移動履歴情報利用システムを示す図
【図１４】本発明の第４の実施の形態の移動履歴情報利用システムを示す図
【図１５】本発明の第５の実施の形態の移動履歴情報利用システムを示す図
【図１６】本発明の第５の実施の形態の移動履歴情報利用システムの動作を示す図
【図１７】本発明の第５の実施の形態の移動履歴情報利用システムの動作を示す図
【図１８】本発明の第６の実施の形態の移動履歴情報利用システムを示す図
【図１９】本発明の第６の実施の形態の移動履歴情報利用システムの動作を示す図
【図２０】本発明の第６の実施の形態の移動履歴情報利用システムの動作を示す図
【図２１】本発明の第７の実施の形態の移動履歴情報利用システムを示す図
【図２２】本発明の第８の実施の形態の移動履歴情報利用システムを示す図
【図２３】位置表示機能付きの携帯端末の例を示す図
【図２４】位置表示機能付きの携帯端末の例を示す図
【図２５】本発明の第９の実施の形態の移動履歴情報利用システムを示す図
【図２６】本発明の第１０の実施の形態の移動履歴情報利用システムを示す図
【図２７】本発明の第１１の実施の形態の移動履歴情報利用システムを示す図
【図２８】本発明の第１２の実施の形態の移動履歴情報利用システムを示す図
【図２９】車載装置が事業者からダウンロードした加盟店情報の例を示す図
【図３０】従来のＥＴＣシステムの構成を示すブロック図
【符号の説明】
【０１８４】
１０  移動履歴情報利用システム
１２  車載装置
１４  加盟店装置
１６  事業者装置
１８  ＥＴＣカード
２０  通信回線
５２  加盟店カードリーダ
５４  加盟店サーバ
６２  事業者サーバ
６４  管理部
７０  ＥＴＣゲート通過情報取得部
７２  店舗サービス情報記憶部
７４  店舗サービス抽出部
７６  サービス提供処理部
【図１】
2005190078.tif 000003
【図２】
2005190078.tif 000004
【図３】
2005190078.tif 000005
【図４】
2005190078.tif 000006
【図５】
2005190078.tif 000007
【図６】
2005190078.tif 000008
【図７】
2005190078.tif 000009
【図８】
2005190078.tif 000010
【図９】
2005190078.tif 000011
【図１０】
2005190078.tif 000012
【図１１】
2005190078.tif 000013
【図１２】
2005190078.tif 000014
【図１３】
2005190078.tif 000015
【図１４】
2005190078.tif 000016
【図１５】
2005190078.tif 000017
【図１６】
2005190078.tif 000018
【図１７】
2005190078.tif 000019
【図１８】
2005190078.tif 000020
【図１９】
2005190078.tif 000021
【図２０】
2005190078.tif 000022
【図２１】
2005190078.tif 000023
【図２２】
2005190078.tif 000024
【図２３】
2005190078.tif 000025
【図２４】
2005190078.tif 000026
【図２５】
2005190078.tif 000027
【図２６】
2005190078.tif 000028
【図２７】
2005190078.tif 000029
【図２８】
2005190078.tif 000030
【図２９】
2005190078.tif 000031
【図３０】
2005190078.tif 000032